(57)【要約】【課題】掲示物などの物を挟み込み、接合されてなる磁石にて磁性体に磁着し、掲示物を掲示する磁石クリップの使用用途を従来のものより拡大させるものである。【解決手段】長尺状の部品である二つのクリップ片をそれぞれの下部に設けられた連結部に挿入した連結軸で回動自在に連結し、さらに、クリップ片の両クリップ片が連結部を支点に接触する部分、すなわち挟み部と、離合する部分、すなわち把持部、が生じるように両クリップ片の内側にコイルバネを取り付けたクリップ本体、およびクリップ片側の把持部の先端、それぞれに開閉具を設け、開閉具に二つの板状の磁石である磁石部の下部の接続部をそれぞれ接合し、磁石部が開閉動出来るように形成した磁石クリッップ、上記磁石クリップにおいてクリップ本体に磁石部を接合せず、方向自在に動く間接部の一端を接合し、さらにその間接部の他端を台座部に接合し、台座部の２つの両端それぞれに開閉具を設け、開閉具に二つの板状の磁石である磁石部の下部の接続部を接合し、磁石部が開閉動出来るように形成した。【選択図】図１
2017188637.tif 000002
【特許請求の範囲】
【請求項１】
長尺状の部品である二つのクリップ片（２ａ）、（２ｂ）をそれぞれの下部に設けられた連結部（３）に挿入した連結軸（３ａ）で回動自在に連結し、さらに、クリップ片（２ａ）、（２ｂ）、の両クリップ片が連結部（３）を支点に接触する部分、すなわち挟み部（１）と、離合する部分、すなわち把持部（４）が生じるように、両クリップ片の内側にコイルバネ（７）を取り付けたクリップ本体（２）、およびクリップ片（２ａ）側の把持部（４）の先端（４ａ）、クリップ片（２ｂ）側の把持部（４）の先端（４ｂ）、それぞれに開閉具（６ａ）、（６ｂ）を設け、開閉具（６ａ）、（６ｂ）に二つの板状の磁石である磁石部（５）の下部の接続部（５ａ）をそれぞれ接合し、磁石部（５）が開閉動出来るように形成した磁石クリッップ。
【請求項２】
クリップ本体（２）に磁石部（５）を接合せず方向自在に動く間接部（８）の一端を接合し、さらにその間接部の他端を台座部（９）に接合し、台座部（９）の２つの両端それぞれに開閉具（６ａ）、（６ｂ）を設け、開閉具（６ａ）、（６ｂ）に二つの板状の磁石である磁石部（５）の下部の接続部（５ａ）をそれぞれ接合し、磁石部（５）が開閉動出来るように形成した請求項１の磁石クリッップ。
【発明の詳細な説明】
【技術分野】
【０００１】  本発明は、掲示物などの物を挟み込み、接合されてなる磁石にて磁性体に磁着し、掲示物を掲示する磁石クリップの使用用途を従来のものより拡大させるものである。
【背景技術】
【０００２】  従来の磁石クリップはそのクリップ本体の片面一面だけに一つの平らな磁石が接合されてなるものがほとんどであった（特許文献１）。掲示物は磁石クリップの挟み部に挟まれ、磁石クリップの磁石部がホワイトボードなどの磁性体に磁着することによって磁石クリップの真下に吊り下げられ掲示される。【０００３】  また（特許文献２）のように方向自在に動く間接部分の先にクリップ本体を接合した磁石クリップも存在した。
【先行技術文献】
【特許文献】
【０００４】
【特許文献１】特開２００２−１７８６７６号公報
【特許文献２】特開２００５−１０７２４３号公報
【発明の概要】
【発明が解決しようとする課題】
【０００５】  磁石クリップは、次のような問題点があった。
（イ）接合されてなる磁石である磁石部はクリップ本体の片側だけであり、また接合部分は固定されている。そのため磁石部を磁性体に磁着させると、掲示物は磁石クリップの直下、すなわち磁性体の面に平行に掲示されるのみである。よって磁性体の真向かいに視点を持って行かなければ、掲示物は見えにくかった。磁性体に対して垂直に掲示物を掲示し、それと平行な視点の位置でも掲示物を見やすくすることは困難であった。例えば鉄扉の正面に掲示物を掲示しても、それに平行な廊下の側からは見えにくかった。
（ロ）１８０度回動出来る間接部分（特許文献２）ではポール体と記載）の先にクリップ本体を接合した磁石クリップでは上記（イ）に示したような状況は改善される。掲示物は磁着される磁性体に対して垂直や斜め上にも掲示可能であり、磁性体と平行な位置の視点からでも掲示物を見やすくすることが出来る。しかし、やはり磁石クリップに接合された磁石は平面状のものが１つだけである。それを用いて曲面のある磁性体に磁着を試みると、磁石と曲面の接地部分は一つだけで面積が少ないため、磁着する強度が弱く、磁着できないことも多かった。さらに非磁性体の物体には、形状がいかなるものでも係止することが出来なかった。
【課題を解決するための手段】
【０００６】  長尺状の部品である二つのクリップ片（２ａ）、（２ｂ）をそれぞれの下部に設けられた連結部（３）に挿入した連結軸（３ａ）で回動自在に連結し、さらに、クリップ片（２ａ）、（２ｂ）、の両クリップ片が連結部（３）を支点に接触する部分、すなわち挟み部（１）と、離合する部分、すなわち把持部（４）、が生じるように両クリップ片の内側にコイルバネ（７）を取り付けたクリップ本体（２）、およびクリップ片（２ａ）側の把持部（４）の先端（４ａ）、クリップ片（２ｂ）側の把持部（４）の先端（４ｂ）、それぞれに開閉具（６ａ）、（６ｂ）を設け、開閉具（６ａ）、（６ｂ）に二つの板状の磁石である磁石部（５）の下部の接続部（５ａ）をそれぞれ接合し、磁石部（５）が開閉動出来るように形成した磁石クリッップ。上記磁石クリップにおいてクリップ本体（２）に磁石部（５）を接合せず方向自在に動く間接部（８）の一端を接合する。さらにその間接部の他端を台座部（９）に接合し台座部（９）の２つの両端それぞれに開閉具（６ａ）、（６ｂ）を設け、開閉具（６ａ）、（６ｂ）に二つの板状の磁石である磁石部（５）の下部の接続部（５ａ）をそれぞれ接合し、磁石部（５）が開閉動出来るように形成した磁石クリッップ。
【発明の効果】
【０００７】  課題で示した（イ）の問題をクリップ本体（２）のクリップ片（２ａ）側の把持部（４）の先端（４ａ）、クリップ片（２ｂ）側の把持部（４）の先端（４ｂ）それぞれに開閉具（６ａ）、（６ｂ）を取り付け、開閉具（６ａ）、（６ｂ）それぞれに、板状の磁石である磁石部（５）の下部の接続部（５ａ）を開閉動出来るように接合した磁石クリッップを形成して解決した。それによって磁着した磁性体に対して掲示物が垂直になるような掲示も可能となった。磁性体と平行な視点の位置でも、掲示物を見やすくすることが出来るようになった。例えば鉄扉に本発明の磁石クリップを使って、それと平行な廊下の側からも見えやすい掲示が可能となった。
課題で示した（ロ）の問題も上記の磁石クリッップを使用して解決した。二つの平板状の磁石である磁石部（５）の間で曲面のある磁性体を挟み込むように磁着すると、磁着の接地面積は二つとなり磁着する強度が増し、磁着できる場合が多くなる。また、二つの平板状の磁石である磁石部（５）をお互いに反対の磁極を持つ磁石で形成すると、磁力で引き合って磁石部の一端（５ｂ）でお互いに磁着することになる。それらとクリップ本体（２）の間の隙間（Ｓ）に非磁性体の棒（Ｗ）を挿入すると、クリップ本体（２）は棒（Ｗ）に係止される。非磁性体の物体でも係止することが出来る。
【図面の簡単な説明】
【０００８】
【図１】本発明の磁石クリップの斜視図
【図２】本発明の磁石クリップの使用例の側面図
【図３】本発明の磁石クリップの使用例の斜視図
【図４】本発明の磁石クリップの使用例の斜視図
【図５】本発明の磁石クリップの使用例の斜視図
【図６】本発明の磁石クリップの使用例の平面図
【図７】本発明の磁石クリップの使用例の側面図
【図８】請求項２で示した本発明の磁石クリップの斜視図
【発明を実施するための形態】
【０００９】  以下、本発明の実施の形態について説明する。
（イ）図１に示されるように、クリップ本体（２）は、左右に配置されたクリップ片（２ａ）とクリップ片（２ｂ）のそれぞれの下部に設けられた連結部（３）に連結軸（３ａ）が挿入されてクリップ片（２ａ）とクリップ片（２ｂ）が回転自在に取り付けられ形成されている。
（ロ）クリップ片（２ａ）の上端である把持部（４ａ）には磁石部（５）を設ける。すなわち、把持部（４ａ）と磁石部（５）の下端の接続部（５ａ）に、開閉具（６ａ）を取り付け磁石部（５）が方向Ｅ、方向Ｆに開閉動できるように設ける。クリップ片（２ｂ）の上端である把持部（４ｂ）にもクリップ片（２ａ）と同様になるように形成されている。
（ハ）クリップ片（２ａ）の先端には挟み部（１）を有し、クリップ片（２ａ）とクリップ片（２ｂ）のそれぞれの下部に設けたコイルバネ（７）にてクリップ本体（２）の開閉力と挟み力を持たせている。
（ニ）クリップ片（２ａ）とクリップ片（２ｂ）のそれぞれの上端である把持部（４ａ）、（４ｂ）を互いに接近する方向Ａに動かす。すると連結部（３）を支点として挟み部（１ａ）、（１ｂ）がＢ方向に開く。そうすることでそれらの間に掲示物を挿入することが出来る。次に把持部（４ａ）、（４ｂ）を方向Ｃに動かす。この動きはコイルバネ（７）の張力によってクリップ本体（２）が自発的に行うことが出来る。そうすることで挟み部（１ａ）、（１ｂ）は方向Ｄに閉じる。掲示物はコイルバネ（７）の張力で挟み部（１ａ）、（１ｂ）の間に保持され続けることとなる。
【００１０】  これを使用するときは、以下のように行う。図２は本発明の磁石クリップの使用例である。ここでは同様の掲示物（Ｋ１）を二つ使用し本発明の磁石クリップで挟み込む事例を同時に２例、示している。一例は挟み部（１ａ）、（１ｂ）の間に紙である掲示物（Ｋ１）を挟み込み、平面状である磁性体（Ｇ１）平板状の磁石部（５）の片側で磁着している。これにより（特許文献１）で示したような通常の磁石クリップの機能を果たせることとなっている。また、もう一例では、クリップ本体（２）を磁性体で形成することにより、磁石部（５）と把持部（４）の（４ａ）の間に掲示物（Ｋ１）を挟み込み、それらの磁着にて挟み込むことも出来る例である。この使用例では紙などで出来た掲示物に挟み部（１）による挟み跡をつけないなどの利点がある。
【００１１】  図３も本発明の使用例の一つである。二つの平板状の磁石である磁石部（５）を互いに直線上に位置するように開閉具（６ａ）と（６ｂ）を左右に開いて、平面である磁性体（Ｇ１）に磁着する。そうすることによってクリップ部（２）は磁性体（Ｇ１）に対して垂直に立ち上がって固定されることが出来る。これにより看板などの掲示物（Ｋ２）を平面の磁性体（Ｇ１）に対して垂直に掲示できることになる。この機能は例示すれば鉄扉に対して平行な廊下の側から鉄扉に磁着した掲示物を見やすくすることに役に立つ。
【００１２】  図４は図３で示した機能を応用した本発明の使用例である。二つの本発明で棒（Ｖ）の両端を挟み部（１）で挟み込み磁性体（Ｇ１）に磁着している。これにより棒（Ｖ）は磁石部（５）を４枚使用するため強固に磁性体（Ｇ１）との間の隙間（Ｓ）を保って中空に保持されることになる。ゆえに棒（Ｖ）にはタオル（Ｔ）やフックのついた鍵（Ｒ）などを掛けたりすることが出来る。
【００１３】  図５も本発明の一使用例である。曲面を持った磁性体（Ｇ２）、鉄製のポール（Ｐ）などに対する本発明の使用例を表す。二つの平板状の磁石である磁石部（５）の間で鉄製のポール（Ｐ）を挟み込むように磁着する。図６は図５の平面図である。磁着の接地面積は（Ｍ１）（Ｍ２）の二つとなる。課題に記載したように、これまでの磁石クリップは一つの平面状の磁石が接合されているだけで、磁性体への接地面は一つのみであり面積が少なく磁着力も弱かった。本発明では図（５）の（Ｍ１）と（Ｍ２）で示したように、接地面は二つあり面積も二倍である。またその部分における磁着力と同時にかかる摩擦力も二倍となる。ゆえに本発明は通常の磁石クリップより、曲面をもつ磁性体（Ｐ）に対して磁着力が強く、このことは掲示物（Ｋ２）を中空に保持するのに役立つ
【００１４】  図７は本発明を非磁性体の棒（Ｗ）に係止した場合の使用例である。本発明の磁石部（５）は二つあるためお互いに反対の磁極を持つ磁石で形成すると、磁力で引き合って磁石部の一端（５ｂ）でお互いに磁着することになる。それらとクリップ本体（２）の間の隙間（Ｓ）に非磁性体の棒（Ｗ）を挿入するとクリップ本体（２）は棒（Ｗ）に係止される。棒（Ｗ）が中空に位置していれば挟み部（１）に挟み込まれている掲示物（Ｋ１）も中空に掲示されることなる。本発明は課題で記載したように通常の磁石クリップでは係止出来なかった非磁性体の物体を使っても、中空に係止が可能であり、掲示物の掲示も可能である
【００１５】  図８は図１から図７までに描画した本発明の実施例の改良である。クリップ本体（２）に磁石部（５）を接合せず方向自在に動く間接部（８）を接合する。さらにその間接部（８）の他端を台座部（９）に接合し、台座部（９）の２つの両端それぞれに１つづつ磁石部（５）を、それらの下端の接続部（５ａ）を用いて、開閉具（６ａ）、（６ｂ）で磁石部（５）が開閉動できるように設ける。図１の実施例では磁石部（５）とクリップ本体（２）は把持部（４）と開閉具（６）で磁石部（５）に直接に接合されている。そのため図３で示したようにクリップ本体（２）は磁性体（Ｇ２）に対して垂直に保持されるのみであった。しかし図８のようにクリップ本体（２）に、回動が３６０度出来る間接部（８）の一端を接合し、その他端を台座部（９）に接合すると、クリップ本体（２）もまた間接部（８）の動きに準じることができる。これにより挟み部（１）に挟まれた掲示物（Ｋ２）も磁性体（Ｇ２）に対して垂直方向に以外にも掲示できる。このことは掲示物がどの位置でも見やすい方向に掲示することに役立つ。
【符号の説明】
【００１６】（１）    挟み部
（２）    クリップ本体
（２ａ）  クリップ片
（２ｂ）  クリップ片
（３）    連結部
（３ａ）  連結軸
（４）    把持部
（４ａ）  クリップ片（２ａ）の上端である把持部
（４ｂ）  クリップ片（２ｂ）の上端である把持部
（５）    磁石部
（５ａ）  接続部
（５ｂ）  磁石部の一端
（６）    開閉具
（６ａ）  開閉具
（６ｂ）  開閉具
（７）    コイルバネ
（８）    間接部
（９）    台座部
Ａ，Ｃ    把持部（４）が動く方向
Ｂ，Ｄ    挟み部（１）が動く方向
Ｅ，Ｆ    磁石部（５）が開閉動出来る方向
Ｇ１      平面である磁性体
Ｇ２      曲面のある磁性体
Ｋ１      紙などの掲示物
Ｋ２      看板などの掲示物
Ｖ        棒
Ｗ        非磁性体の棒
【図１】
2017188637.tif 000003
【図２】
2017188637.tif 000004
【図３】
2017188637.tif 000005
【図４】
2017188637.tif 000006
【図５】
2017188637.tif 000007
【図６】
2017188637.tif 000008
【図７】
2017188637.tif 000009
【図８】
2017188637.tif 000010